(57)【要約】【課題】従来よりも視力が低いユーザーにとって視認性の良好な印刷物を得られる画像形成装置を提供する。【解決手段】画像データに基づく画像を記録媒体上に印刷して印刷物として出力する印刷部と、前記印刷部による印刷動作を制御する制御部とを備えた画像形成装置において、前記制御部は、ユーザーの視力を判定し、その判定結果に応じて拡大対象文字サイズを決定し、前記画像に含まれる文字の中から前記拡大対象文字サイズに該当する文字が拡大されるよう前記画像データを補正する。【選択図】図４
2014011612.tif 000002
【特許請求の範囲】
【請求項１】
画像データに基づく画像を記録媒体上に印刷して印刷物として出力する印刷部と、前記印刷部による印刷動作を制御する制御部とを備えた画像形成装置において、
前記制御部は、ユーザーの視力を判定し、その判定結果に応じて拡大対象文字サイズを決定し、前記画像に含まれる文字の中から前記拡大対象文字サイズに該当する文字が拡大されるよう前記画像データを補正することを特徴とする画像形成装置。
【請求項２】
前記制御部は、大きさの異なる文字或いは記号を表示部に表示させて前記ユーザーに対して見えにくい前記文字或いは記号の選択を促し、前記ユーザーにより選択された前記文字或いは記号に基づいて前記ユーザーの視力を判定することを特徴とする請求項１に記載の画像形成装置。
【請求項３】
前記制御部は、前記ユーザーに対して年齢の入力を促す画面を前記表示部に表示させ、前記ユーザーにより入力された前記年齢に基づいて前記ユーザーの視力を判定することを特徴とする請求項１に記載の画像形成装置。
【請求項４】
前記制御部は、前記ユーザーの視力として老眼度数を判定することを特徴とする請求項１〜３のいずれか一項に記載の画像形成装置。
【請求項５】
前記制御部は、補正後の前記画像データに基づく画像のサイズに応じて前記記録媒体のサイズを変更することを特徴とする請求項１〜４のいずれか一項に記載の画像形成装置。
【発明の詳細な説明】
【技術分野】
【０００１】
本発明は、コピー機、複合機等の画像形成装置に関する。
【背景技術】
【０００２】
従来から、画像を記録媒体に印刷する際に、視力が低いユーザーにも見えやすいように、文字等を拡大して印刷する画像形成装置が開発されている（下記特許文献１及び２参照）。
【先行技術文献】
【特許文献】
【０００３】
【特許文献１】特開平８−１３９９１３号公報
【特許文献２】特開２０００−３０５７４６号公報
【発明の概要】
【発明が解決しようとする課題】
【０００４】
上記従来技術では、画像を画一的に拡大して印刷するため、拡大が必要な部分と拡大が不要な部分とが同一倍率で拡大されて全体のバランスが悪くなり、かえってユーザーにとって視認性の悪い画像を印刷していた。
【０００５】
本発明は、上述した事情に鑑みてなされたものであり、従来よりも視力が低いユーザーにとって視認性の良好な印刷物を得られる画像形成装置を提供することを目的とする。
【課題を解決するための手段】
【０００６】
上記課題を解決するために、本発明では、画像形成装置に係る第１の解決手段として、画像データに基づく画像を記録媒体上に印刷して印刷物として出力する印刷部と、前記印刷部による印刷動作を制御する制御部とを備えた画像形成装置において、前記制御部は、ユーザーの視力を判定し、その判定結果に応じて拡大対象文字サイズを決定し、前記画像に含まれる文字の中から前記拡大対象文字サイズに該当する文字が拡大されるよう前記画像データを補正する、という手段を採用する。
【０００７】
また、本発明では、画像形成装置に係る第２の解決手段として、上記第１の解決手段において、前記制御部は、大きさの異なる文字或いは記号を表示部に表示させて前記ユーザーに対して見えにくい前記文字或いは記号の選択を促し、前記ユーザーにより選択された前記文字或いは記号に基づいて前記ユーザーの視力を判定する、という手段を採用する。
【０００８】
また、本発明では、画像形成装置に係る第３の解決手段として、上記第１の解決手段において、前記制御部は、前記ユーザーに対して年齢の入力を促す画面を前記表示部に表示させ、前記ユーザーにより入力された前記年齢に基づいて前記ユーザーの視力を判定する、という手段を採用する。
【０００９】
また、本発明では、画像形成装置に係る第４の解決手段として、上記第１〜第３のいずれか一つの解決手段において、前記制御部は、前記ユーザーの視力として老眼度数を判定する、という手段を採用する。
【００１０】
また、本発明では、画像形成装置に係る第５の解決手段として、上記第１〜第４のいずれか一つの解決手段において、前記制御部は、補正後の前記画像データに基づく画像のサイズに応じて前記記録媒体のサイズを変更する、という手段を採用する。
【発明の効果】
【００１１】
本発明によれば、ユーザーにとって見えにくい文字のみが拡大された画像、つまり全体のバランスが整った画像が記録媒体に印刷されるので、従来よりも視力が低いユーザーにとって視認性の良好な印刷物を得ることが可能となる。
【図面の簡単な説明】
【００１２】
【図１】本実施形態に係る複合機１００の要部構成を示す正面透視図である。
【図２】本実施形態に係る複合機１００の機能ブロック図である。
【図３】複合機１００に設けられた操作表示部６２の外観図である。
【図４】複合機１００の制御部６０が文字拡大機能を実現するために実行する各処理を示したフローチャートである。
【図５】大きさの異なる文字を表示し、ユーザーに対して見えにくい文字の選択を促すための度数判定ダイアログの一例である。
【図６】老眼度数と拡大対象文字サイズとの対応関係を示すテーブルデータの一例である。
【図７】年齢と老眼度数との対応関係を示すテーブルデータの一例である。
【発明を実施するための形態】
【００１３】
以下、図面を参照しながら、本発明の一実施形態について説明する。なお、以下では、本発明に係る画像形成装置として、コピー機、プリンター及びファクシミリ等の機能を併せ持つ電子写真方式の複合機を例示して説明する。
【００１４】
図１は、本実施形態に係る複合機１００の要部構成を示す正面透視図である。この図１に示すように、複合機１００は、原稿を読み取ってその原稿の画像データを生成する原稿読取装置１と、原稿読取装置１から得られた画像データ或いは外部から受信した画像データに基づいて印刷用紙（記録媒体）に画像を形成する複合機本体２とを備えている。
【００１５】
原稿読取装置１は、スキャナー１０及びＡＤＦ(Auto Document Feeder：自動原稿給紙装置)２０から構成されている。スキャナー１０は、プラテンガラス１１上にセットされた原稿、またはＡＤＦ２０によって自動給紙される原稿の読み取りを行うものであり、プラテンガラス１１、白色基準板１２、フルレートキャリッジ１３、ハーフレートキャリッジ１４、集光レンズ１５及びＣＣＤ(Charge Coupled Devices)センサー１６を備えている。
【００１６】
プラテンガラス１１は、読み取り対象の原稿を１枚ずつセットするためのガラス板である。白色基準板１２は、シェーディング補正用の白色基準データを取得するための白色板である。フルレートキャリッジ１３は、プラテンガラス１１の下方において、不図示のキャリッジ搬送機構によりプラテンガラス１１に沿って左右方向（走査方向）に往復移動可能に設けられており、照明光を斜め上方に向けて出射するランプ１３ａと、照明光の反射光を後述するハーフレートキャリッジ１４に向けて反射するミラー１３ｂを内蔵する。
【００１７】
ハーフレートキャリッジ１４は、フルレートキャリッジ１３と同様に、不図示のキャリッジ搬送機構によりプラテンガラス１１に沿って左右方向に往復移動可能に設けられており、フルレートキャリッジ１３のミラー１３ｂからの入射光を下方に向けて反射するミラー１４ａと、ミラー１４ａからの入射光を後述する集光レンズ１５に向けて反射するミラー１４ｂを内蔵する。なお、キャリッジ搬送機構により、フルレートキャリッジ１３の移動量とハーフレートキャリッジ１４の移動量との比率は１：０．５となるように制御されている。これにより、集光レンズ１５に達するまでの照明光の光路長が一定となるように制御される。
【００１８】
プラテンガラス１１上にセットされた原稿を読み取る場合は、フルレートキャリッジ１３及びハーフレートキャリッジ１４を走査方向に移動させることで原稿をスキャンするが、後述するＡＤＦ２０によって原稿を自動給紙する場合には、フルレートキャリッジ１３及びハーフレートキャリッジ１４を所定の原稿読取位置にて待機させ、原稿側を移動（搬送）させることで複数枚セットされた原稿を連続的にスキャンする。
【００１９】
集光レンズ１５は、ハーフレートキャリッジ１４のミラー１４ｂからの入射光を集光してＣＣＤセンサー１６の受光面に結像させる。ＣＣＤセンサー１６は、不図示のＣＣＤ駆動部から供給されるタイミング信号に同期して作動し、受光面にて受光した光を光電変換することにより、読み取った原稿の画像に応じたアナログ電圧信号を生成してＡＦＥ（アナログフロントエンド：図示省略）に出力する。なお、ＡＦＥは、上記のアナログ電圧信号を所定のゲイン設定値にて増幅した後にデジタル変換することで、読み取った原稿の画像を表す画像データを生成して後述の複合機本体２の制御部６０に出力する。
【００２０】
ＡＤＦ２０は、原稿載置トレイ２２にセットされた複数枚の原稿を１枚ずつ連続的に自動給紙するものであり、プラテンカバー２１、原稿載置トレイ２２、ピックアップローラー２３、レジストローラー２４、プラテンローラー２５及び排紙ローラー２６等から構成されている。プラテンカバー２１は、スキャナー１０の上面に対して開閉可能に設けられており、プラテンガラス１１上に原稿をセットして読み取りを行う場合における原稿押さえカバーとしての役割と、ピックアップローラー２３、レジストローラー２４、プラテンローラー２５及び排紙ローラー２６等の自動給紙機構に使用される部材の収納用筐体としての役割を担っている。なお、図１では、プラテンカバー２１が閉じられた状態を示している。
【００２１】
原稿載置トレイ２２は、読み取り対象の原稿をセットするためのトレイである。ピックアップローラー２３は、原稿載置トレイ２２にセットされた原稿を１枚ずつピックアップしてレジストローラー２４に搬出するためのローラーである。レジストローラー２４は、所定のタイミングで原稿をプラテンローラー２５に搬送するためのローラーである。プラテンローラー２５は、原稿を所定の原稿読取位置を経由して排紙ローラー２６に搬送するためのローラーである。排紙ローラー２６は、読み取り完了後の原稿を外部に排出するためのローラーである。これら各ローラーの回転動作は、複合機本体２の制御部６０により制御されている。
【００２２】
複合機本体２は、原稿読取装置１から得られた画像データ或いは外部から受信した画像データがＲＧＢ色空間データである場合には、それらの画像データをＣＭＹＫ色空間データに変換する機能を有している（後述の制御部６０の機能）。周知のように、ＲＧＢ色空間データとは、光三原色であるＲ（赤）、Ｇ（緑）、Ｂ（青）の各色に対応する画素（画像を構成する最小単位）の階調値を示すデジタルデータである。
【００２３】
また、ＣＭＹＫ色空間データとは、Ｃ（シアン）、Ｍ（マゼンタ）、Ｙ（イエロー）の印刷用の色料（複合機１００においてはトナー）の三原色にＫ（キープレート：黒の色料）を加えて画像を表現するデータである。電子写真方式の複合機１００においては、ＣＭＹＫの各色毎に感光体表面に現像したトナー画像を重ね合わせて一枚のトナー画像を形成する。各色のトナー画像は、ドットと呼ばれるトナー配置ポイントの２次元配列によって構成されている。つまり、ＣＭＹＫ色空間データとは、各色のトナー画像について、どの位置のドットにトナーを配置するのかを２値で示すデジタルデータである。
【００２４】
そして、この複合機本体２は、画像データに基づくトナー画像を印刷用紙上に形成するトナー画像形成部３と、印刷用紙上にトナー画像を定着させて完成画像とする定着部４と、印刷用紙を搬送するための用紙搬送機構５と、各種サイズの印刷用紙を収容するための給紙カセット６、７、８とを備えている。さらに、複合機本体２には、手前側に開閉自在な手差しトレイ９が設けられており、手差しトレイ９に載置された印刷用紙を用紙搬送機構５によって搬送可能な構成となっている。
【００２５】
トナー画像形成部３は、中間転写ベルト３１と、ＣＭＹＫの各色にそれぞれ対応したトナー画像形成ユニットＦ（ＦＹ、ＦＭ、ＦＣ、ＦＫ）と、駆動ローラー３２と、テンションローラー３３と、二次転写ローラー３４と、クリーナー３５とから構成されている。中間転写ベルト３１は、各トナー画像形成ユニットＦ（ＦＹ、ＦＭ、ＦＣ、ＦＫ）によって形成（現像）される各色のトナー画像を順次重ねて１次転写するための中間転写体であり、駆動ローラー３２及びテンションローラー３３に張架されて、図１において時計回りに回走する構成となっている。
【００２６】
トナー画像形成ユニットＦ（ＦＹ、ＦＭ、ＦＣ、ＦＫ）は、それぞれ感光体ドラムＦａと、帯電部Ｆｂと、露光部Ｆｃと、現像部Ｆｄと、一次転写ローラーＦｅとを備え、さらに不図示のクリーニング装置及び除電装置等とを備える。感光体ドラムＦａは、円柱に形状設定され、その周面に静電潜像及び当該静電潜像に基づくトナー画像が形成されるものである。帯電部Ｆｂは、感光体ドラムＦａに対して対向配置され、感光体ドラムＦａの周面を帯電状態とするものである。
【００２７】
露光部Ｆｃは、レーザー光を帯電状態の感光体ドラムＦａの周面において走査して静電潜像を形成するものであり、詳細には、トナーを配置すべきドット位置に対応する感光体ドラムＦａ上の位置に対してレーザー光を照射する。現像部Ｆｄは、感光体ドラムＦａの周面に対してトナーを付着させることによって感光体ドラムＦａの周面上に静電潜像に基づくトナー画像を現像するものである。
【００２８】
一次転写ローラーＦｅは、中間転写ベルト３１を挟んで感光体ドラムＦａと対向配置され、感光体ドラムＦａに現像されたトナー画像を中間転写ベルト３１に一次転写するものである。二次転写ローラー３４は、中間転写ベルト３１を挟んで駆動ローラー３２と対向配置されており、中間転写ベルト３１表面に転写されているトナー画像（各色のトナー画像が重ね合されたもの）を、給紙カセット６、７、８のいずれかから用紙搬送機構５によって搬送される印刷用紙に２次転写するものである。クリーナー３５は、クリーニングローラーやクリーニングブレード等を備え、中間転写ベルト３１の残留トナーを除去するものである。
【００２９】
定着部４は、印刷用紙上に二次転写されたトナー画像を定着させて完成画像とするものであり、加圧・加熱することによりトナー画像を定着させる加熱ローラー４１を備えている。なお、この加熱ローラー４１の発熱温度（つまり定着部４の定着温度）は、後述の制御部６０によって制御可能となっている。
【００３０】
用紙搬送機構５は、給紙カセット６、７、８から印刷用紙を１枚ずつ搬出するためのピックアップローラー５１、５２、５３と、ピックアップした印刷用紙をトナー画像形成部３（駆動ローラー３２と２次転写ローラー３４とのニップ部分）に搬送するための給紙ローラー５４、５５、５６と、定着部４による定着処理後の印刷用紙を印刷物として外部に排紙（出力）するための排紙ローラー５７等から構成されている。
【００３１】
給紙カセット６、７、８は、複合機本体２に対して引き出し自在に取り付けられており、各種サイズの用紙を収容するものである。これらトナー画像形成部３、定着部４、用紙搬送機構５、及び給紙カセット６、７、８は、画像データに基づく画像を記録媒体上に印刷して印刷物として出力する印刷部に相当する。
【００３２】
図２は、複合機１００の機能ブロック図である。なお、この図２において、図１と同じ構成要素には同一符号を付し、説明を省略する。図２において、符号６０は制御部、符号６１は画像データメモリー、符号６２は操作表示部、符号６３は通信Ｉ／Ｆである。なお、符号２００は、複合機１００へ画像データを送信する外部機器（例えばパーソナルコンピューターやファクシミリ等）である。
【００３３】
制御部６０は、例えばＣＰＵ(Central Processing Unit)コアや、ＲＯＭ(Read Only Memory)、ＲＡＭ(Random Access Memory)等のメモリー、入出力インターフェイスなどが一体的に組み込まれたマイクロコンピューターであり、操作表示部６２から入力される操作信号、原稿読取装置１から得られた画像データ或いは通信Ｉ／Ｆ６３を介して外部機器２００から受信した画像データに基づいて、複合機１００の全体動作（原稿読取装置１による原稿読取動作、トナー画像形成部３によるトナー画像形成動作、定着部４による定着動作、用紙搬送機構５による用紙搬送動作など）を制御する。
【００３４】
また、上述したように、この制御部６０は、原稿読取装置１から得られた画像データ或いは通信Ｉ／Ｆ６３を介して外部機器２００から受信した画像データがＲＧＢ色空間データである場合には、それらの画像データをＣＭＹＫ色空間データに変換する機能も有している。
【００３５】
画像データメモリー６１は、例えばフラッシュメモリーなどの書き換え可能な不揮発性メモリーであり、制御部６０による制御の下、画像読取装置１から得られた画像データや、外部機器２００から受信した画像データ、及びＣＭＹＫ色空間データに変換された画像データなどを記憶する。
【００３６】
操作表示部６２は、図３に示すように、操作キー部６２ａと表示部６２ｂとを備えており、ユーザーの操作に応じた指示を入力するとともに、複合機１００の状態を示す情報等の各種情報を表示する。操作キー部６２ａは、スタートキー、ストップ／クリアキー、電源キー、テンキー（数値入力キー）、及び機能切替キー等のハードキーを備える。尚、機能切替キーとは、複合機１００で実現されるコピー機能、プリント機能、スキャン機能、及びファクシミリ機能の各々をユーザーが使用する場合に、各機能の動作モードへ複合機１００を切り替える為のキーである。表示部６２ｂは、タッチパネル機能を有しており、ソフトキーを含む画面が表示される。
【００３７】
通信Ｉ／Ｆ６３は、複合機１００（詳しくは制御部６０）と外部機器２００との間で通信を行うためのインターフェイスであり、ＬＡＮ(Local Area Network)等のネットワークによって外部機器２００と通信可能に接続されている。
【００３８】
次に、上記のように構成された複合機１００の動作について説明する。
本実施形態における制御部６０は、その特徴的な機能として、ユーザーの視力（本実施形態では老眼度数）を判定し、その判定結果に応じて拡大対象文字サイズを決定し、印刷すべき画像に含まれる文字の中から拡大対象文字サイズに該当する文字が拡大されるよう画像データを補正する機能（以下、文字拡大機能と称する）を有している。
【００３９】
図４は、制御部６０が上記の文字拡大機能を実現するために実行する各処理を示したフローチャートである。なお、以下では、ユーザーによってＡＤＦ２０の原稿載置トレイ２２に複数枚の原稿がセットされた後に、コピースタートキーが押下された場合を想定して説明する。
【００４０】
図４に示すように、制御部６０は、操作表示部６２から入力される操作信号を基にコピースタートキーが押下されたことを検知すると（ステップＳ１）、図５に示すような、大きさの異なる文字（或いは記号でも良い）を表示し、ユーザーに対して見えにくい文字の選択を促すための度数判定ダイアログを表示部６２ｂに表示させる（ステップＳ２）。度数判定ダイアログに表示される文字の大きさは老眼度数と関連付けられており、ユーザーが見えにくい文字を選択することで、そのユーザーの老眼度数を判定できるようになっている。なお、この度数判定ダイアログには、見えにくい文字の選択完了を意味するＯＫボタン（ソフトキー）が表示されている。
【００４１】
制御部６０は、上記の度数判定ダイアログにてＯＫボタンが押下されたか否かを判定し（ステップＳ３）、「Ｎｏ」の場合には、ＯＫボタンが押されるまでステップＳ３の処理を繰り返す一方、「Ｙｅｓ」の場合には、度数判定ダイアログにて選択された文字サイズに応じてユーザーの老眼度数を判定し、その判定結果に応じて拡大対象文字サイズを決定する（ステップＳ４）。
【００４２】
ここで、制御部６０の内蔵メモリーには、図６に示すような、老眼度数と拡大対象文字サイズとの対応関係を示すテーブルデータが予め保存されている。つまり、制御部６０は、内蔵メモリーに保存されたテーブルデータを参照することにより、老眼度数の判定結果に応じた拡大対象文字サイズを決定する。例えば、老眼度数が「＋１．００」の場合、１．５ｍｍ四方以下の文字サイズが拡大対象文字サイズとなる。また、例えば、老眼度数が「＋１．５０」の場合、２．５ｍｍ四方以下の文字サイズが拡大対象文字サイズとなる。同様に、例えば、老眼度数が「＋３．５０」の場合、５ｍｍ四方以下の文字サイズが拡大対象文字サイズとなる。
【００４３】
制御部６０は、上記のように拡大対象文字サイズを決定した後、原稿読取装置１を制御することにより、セットされた原稿のスキャンを開始する（ステップＳ５）。そして、制御部６０は、全ての原稿のスキャンが終了したか否かを判定し（ステップＳ６）、「Ｎｏ」の場合には、スキャンが終了するまでステップＳ６の処理を繰り返す一方、「Ｙｅｓ」の場合には、スキャンによって得られた全原稿の画像データを必要に応じてＣＭＹＫ色空間データに変換した後、画像データメモリー６１に保存する（ステップＳ７）。
【００４４】
続いて、制御部６０は、画像データメモリー６１に保存された画像データを用いて印刷すべき原稿画像に含まれる文字の中から拡大対象文字サイズに該当する文字を探索する（ステップＳ８）。このように原稿画像に含まれる文字を判別し、さらにその文字のサイズを判別するには、一般的な光学文字認識（ＯＣＲ：Optical Character Recognition）機能を利用することができる。
【００４５】
そして、制御部６０は、拡大対象文字サイズに該当する文字の探索が終了すると、印刷すべき原稿画像に含まれる文字の内、拡大対象文字サイズに該当する文字が拡大されるよう画像データを補正する（ステップＳ９）。例えば、制御部６０は、老眼度数が「＋１．５０」の場合、２．５ｍｍ四方以下の文字サイズに該当する文字のみが拡大されるよう画像データを補正する。拡大対象文字サイズに該当する各文字の拡大率は、老眼度数に応じて適切な値（見えやすい値）を予め設定しておけば良いが、原稿画像中の最大文字サイズと同一サイズとなるよう各文字の拡大率を調整することが望ましい。これにより、最終的に全ての文字が同一サイズとなり、全体のバランスがより整えられる。
【００４６】
そして、制御部６０は、補正後の画像データに基づいて、トナー画像形成部３、定着部４及び用紙搬送機構５を制御することにより、原稿画像の印刷を開始する（ステップＳ１０）。制御部６０は、全ての原稿画像の印刷が終了したか否かを判定し（ステップＳ１１）、「Ｎｏ」の場合には、印刷が終了するまでステップＳ１１の処理を繰り返す一方、「Ｙｅｓ」の場合には、図４に示す処理を終了する。上記の各処理により、ユーザーにとって見えにくい文字のみが拡大された画像、つまり全体のバランスが整った画像が印刷された印刷物が複合機１００から出力される。
【００４７】
以上のように、本実施形態によれば、ユーザーの老眼度数を判定し、その判定結果に応じて拡大対象文字サイズを決定し、印刷すべき画像に含まれる文字の中から拡大対象文字サイズに該当する文字が拡大されるよう画像データを補正することにより、従来よりも視力が低いユーザーにとって視認性の良好な印刷物（全体のバランスが整った画像が印刷された印刷物）を得ることが可能となる。
【００４８】
以上、本発明の一実施形態による複合機１００について説明したが、本発明は上述した実施形態に制限されることなく、本発明の範囲内で自由に変更が可能である。
例えば、上記実施形態では、本発明に係る画像形成装置が複合機１００である場合を例に挙げて説明したが、本発明は、コピー機、ファクシミリ等の他の画像形成装置にも適用することができる。
【００４９】
また、上記実施形態では、制御部６０が、大きさの異なる文字を表示部６２ｂに表示させてユーザーに対して見えにくい文字の選択を促し、ユーザーにより選択された文字に基づいてユーザーの老眼度数を判定する場合を例示したが、例えば、制御部６０が、ユーザーに対して年齢の入力を促す画面を表示部６２ｂに表示させ、ユーザーにより入力された年齢に基づいてユーザーの老眼度数を判定するようにしても良い。この場合、制御部６０の内蔵メモリーに、図７に示すような、年齢と老眼度数との対応関係を示すテーブルデータが予め保存しておけば、このテーブルデータを参照することにより、ユーザーの年齢に応じた老眼度数を判定することができる。
【００５０】
また、上記実施形態では、制御部６０が、ユーザーの視力として老眼度数を判定する場合を例示したが、一般的な視力検査に採用されている、国際的な視力の標準視標である国際標準ランドルト氏環を表示部６２ｂに表示させ、ユーザーに対して見えにくい国際標準ランドルト氏環の選択を促し、ユーザーにより選択された国際標準ランドルト氏環に基づいてユーザーの視力を判定するようにしても良い。
【００５１】
また、上記実施形態によると、補正後の画像データに基づく画像（最終的に印刷用紙に印刷すべき画像）のサイズが、現在選択されている印刷用紙のサイズをオーバーしている可能性もあるので、制御部６０が、補正後の画像データに基づく画像のサイズに応じて印刷用紙のサイズを変更する（印刷用紙のサイズを大きくする）ようにしても良い。
【符号の説明】
【００５２】
１００…複合機、１…原稿読取装置、２…複合機本体、１０…スキャナー、２０…ＡＤＦ(Auto Document Feeder)、３…トナー画像形成部、４…定着部、５…用紙搬送機構、６、７、８…給紙カセット、６０…制御部、６１…画像データメモリー、６２…操作表示部、６３…通信Ｉ／Ｆ、２００…外部機器
【図１】
2014011612.tif 000003
【図２】
2014011612.tif 000004
【図３】
2014011612.tif 000005
【図４】
2014011612.tif 000006
【図５】
2014011612.tif 000007
【図６】
2014011612.tif 000008
【図７】
2014011612.tif 000009